(57)【要約】      （修正有）【課題】拠点において、あるアイテムに対して在庫数量が可能な量を設定することは、拠点での在庫保有能力を最大限利用するという観点では有効な在庫配置ではあるが、無限の在庫保有能力、すなわちすべてのアイテムを保有しない限り、顧客からの要求に即対応可能な在庫配置とは言えず、顧客の観点からの在庫配置となっていない場合が多い。顧客の要求に即対応できる在庫配置、換言すると、目標とするサービス係数（即納率）に合わせ在庫配置を選定する方法を提供する。【解決手段】設定対象の拠点におけるトータルの目標即納数を設定するステップと、即能率を除いた在庫配置を優先する他の条件を決定して、他の条件に適するアイテムを評価する指標を設定するステップと、指標の上位のアイテムから順にアイテムを選択していった際に上記目標即納数を超えて数が加算されたアイテムを在庫配置アイテムとして選定するステップとを有する。【選択図】図１
2007261760.tif 000002
【特許請求の範囲】
【請求項１】
コンピュータシステムを利用した在庫配置アイテムの選定方法であって、
上記コンピュータシステムは、入力手段、出力手段、記憶手段、上記記憶手段が記憶するデータ及びプログラムファイルを読み出して（ａ）（ｂ）（ｃ）のステップを実行する演算手段とからなり、
上記ステップ（ａ）は、該当拠点で扱っている商品トータルで目標とする即納数（但し、即納数は、受注に対して、その拠点の在庫している商品を引き当てて納入できた数）を設定するステップ、
上記ステップ（ｂ）は、物理的／経営的な制約条件から在庫配置優先条件を決定し、上記優先条件に適するアイテムを評価する指標を設定するステップ、
上記ステップ（ｃ）は、拠点トータルでの目標即納数を維持し、上記在庫配置優先条件にしたがって、在庫配置するアイテムを選定するステップ、
であることを特徴とする、在庫配置アイテムの選定方法。
【請求項２】
請求項１のステップ（ｃ）において、目標即納数をベースに、在庫配置するアイテムを選定することを特徴とした選定方法。
【請求項３】
請求項１のステップ（ｂ）において、
業界または企業の状況に応じて、在庫配置を優先する条件を選択することを特徴とした在庫配置するアイテムの選定方法。
【発明の詳細な説明】
【技術分野】
【０００１】
本発明は、製品や部品を顧客に必要なタイミングで提供するために、各拠点（生産拠点、物流拠点、販売拠点など）で、在庫するアイテムを選定する方法に関する発明である。
【背景技術】
【０００２】
メーカーや卸、小売などそれぞれの企業において、コスト削減を狙う「在庫圧縮」と機会損失の防止を狙う「欠品防止」は至上課題である。上記のようなトレードオフの関係にある課題を解決するため、近年、在庫配置、ネットワーク設計、配送計画やスケジューリングなどのサプライチェーン最適化に対する研究が盛んに行われている。
【０００３】
本発明の技術分野である、「在庫の配置」についても、一般的な方式が明らかになってきている。「在庫配置」に関する方式としては、大きく
（１）在庫の配置位置（該当拠点に何のアイテムを置くか設定する）を設定する方式
（２）在庫数量（（１）の在庫配置位置を前提に、該当拠点に配置する在庫数量を設定する）
を設定する２つの方式に分かれる。
【０００４】
「（２）在庫数量を設定する方式」に関しては、トレードオフ関係となっている課題について最適なバランスを維持するため、目標とするサービス係数（即納率）を設定し、それに合わせて在庫数を設定する方式が一般に行われている。具体的には、下記のような式で定義されている。
【０００５】
【数１】
2007261760.tif 000003
【０００６】
しかし、「（１）在庫の配置位置」を設定することに関しては、一般的には、物理的／経営的な制約条件をベースに在庫するアイテムを選定する方法を用いている。
【０００７】
例えば、物理的な制約条件をベースに在庫配置するアイテムを選定する従来技術として、特開２０００−１６８９１６号「ロケーション管理装置、方法、および、その記憶媒体」がある。この従来技術では、拠点の保管能力（保管スペース）をベースに、在庫するアイテムを選定する。具体的には、出荷量の変更に応じて変化した基準在庫量に対して、拠点の保管能力を加味し、在庫量に見合った保管場所／保管形態になるようにロケーション変更を指示する。
【０００８】
また、経営的な制約条件をベースに在庫配置するアイテムを選定する方式としては、一般的に、決算期に在庫金額の上限値を制約条件として在庫配置するアイテムを選定する業務が行われている。保管している在庫簿価を算出し、売上高と単価の関係に応じて在庫金額の上限値まで、在庫管理者自身の経験等に基づき、在庫可能なアイテムを選定する業務が一般的に行われている。
【０００９】
【特許文献１】特開２０００−１６８９１６号公報
【発明の開示】
【発明が解決しようとする課題】
【００１０】
しかし拠点において、あるアイテムに対して在庫数量が可能な量を設定することは、拠点での在庫保有能力を最大限利用するという観点では有効な在庫配置ではあるが、無限の在庫保有能力、すなわちすべてのアイテムを保有しない限り、  顧客からの要求に即対応可能な在庫配置とは言えず、一般には、顧客の観点からの在庫配置となっていない場合が多い、したがって、本発明の目的は、顧客の要求に即対応できる在庫配置、換言すると、目標とするサービス係数（即納率）に合わせ在庫配置を選定する方法を提供することにある。また、目標とするサービス係数（即納率）を維持し、結果顧客へのＣＳ低下を阻止し、サービス係数（即納率）をベースに、在庫するアイテムを選定する方法を提供することにある。
【課題を解決するための手段】
【００１１】
本発明は以下の３つのステップにより構成されている。
【００１２】
第１ステップは、該当拠点で扱っている商品トータルで目標とする即納数（受注に対して、その拠点の在庫している商品を引き当てて納入できた数）を設定する処理である。例えば、その拠点から商品トータルで月間1000個出荷されると予測され、その拠点で目標とする即納率が95％と設定した場合、月間出荷予測数（1000個）×目標即納率（95％）＝950個となる。これがこの拠点で月間で在庫している商品にて納入する目標数である。
【００１３】
第２ステップは、物理的／経営的な制約条件から在庫配置を優先する条件を決定し、「その優先条件に適するアイテムを評価する指標」を設定する処理である。この在庫配置を優先する条件は、業界／企業によって異なり、例えば、１アイテムあたりの容積が大きく、拠点の保管キャパシティが頻繁にオーバーする商品を扱っている業界／企業は、「拠点の容積キャパシティ」が在庫配置を優先する条件となり、１アイテムあたりの単価が高く、決算期の在庫金額が経営状況を圧迫する傾向が強い業界／企業にとっては、「在庫金額」が在庫配置を優先する条件となる。
【００１４】
この在庫配置を優先する条件にしたがって、「優先条件に適するアイテムを評価する指標」を設定する。例えば、「拠点の容積キャパシティ」が在庫配置を優先する条件であった場合、１アイテム当たりの容積効率が評価指標となる。具体的には、あるアイテムの容積効率＝あるアイテムの一定間での需要予測値×あるアイテムの保管容積にて定義できる。計算例としては、あるアイテムの容積効率＝あるアイテムの需要予測値（例：そのアイテムの月間の需要予測数が40個）÷（あるアイテムの理論在庫数（例：理論在庫数が10個）×１アイテムでの容積（例：保管容積が2立方メートル）＝2個/立方メートルとなる。
【００１５】
第３ステップは、“（第１ステップで算出した）拠点トータルでの目標即納数”を維持するように、「（第２ステップで算出した）物理的／経営的な観点からの在庫配置優先条件」にしたがって、在庫配置するアイテムを選定するための処理である。アイテム別に目標（期待）即納数を算出し（＝アイテム別出荷予測値×アイテム別目標（期待）即納率）、「物理的/経営的な視点からの在庫配置優先順位」に従い、上位のアイテムから順に目標（期待）即納数を足していき、「（第１ステップで算出した）拠点トータルでの目標即納数」を越えるまでに足していったアイテムを、在庫配置アイテムとして選定する処理となる。例えば、拠点トータルでの目標即納数が950個で、「物理的/経営的な視点からの在庫配置優先順位」がアイテムＡ→Ｂ→Ｃ→Ｄの順とした時に、各アイテム毎の目標（期待）即納数がＡ（300個）、Ｂ（400個）、Ｃ（200個）、Ｄ（300個）だったとする。すると、拠点トータルでの目標即納数の範囲内となる、Ａ，Ｂ，Ｃまで（300+400+200＜950）が、在庫配置すべきアイテムとして選定される。
【発明の効果】
【００１６】
本発明の効果として、目標とするサービス係数（即納率）に合わせ、在庫するアイテムを選定することが可能となる。
【発明を実施するための最良の形態】
【００１７】
図面を用いて発明を説明する。
図１は、本発明を行うためのシステム構成を示した図、図２から図１４は図１を構成する各記憶装置に格納されたファイルのテーブル図、図１５から図１８は、本発明を実施するためのフローチャートを示している。
【００１８】
図１のように、各種処理を行うコンピュータシステム及び、その処理を実行するための各種ファイル（１００〜２２０）により構成されている。コンピュータシステムは、一般的なパーソナルコンピュータやサーバシステムでよく、少なくとも、入力手段、出力手段、記憶手段、演算装置（５０）を有する。コンピュータシステムに記憶装置には図１に示される情報、各種ファイル（１００〜２２０）が記憶されており、これら情報や各種ファイルは演算手段（５０）に読み出されて処理が実行される。
【００１９】
図２は、拠点トータル目標即納率情報（１００）のテーブル図であり、“拠点扱い商品トータルでの目標即納率（受注に対して、その拠点の在庫している商品を引き当てて納入できた比率）”のパラメータが設定されているファイルのテーブル図を示している。
【００２０】
図３は、該当拠点での当月需要予測ファイル（１１０）のテーブル図であり、当月の該当拠点での需要予測数を蓄積したファイルのテーブル図を示している。
【００２１】
図４は、拠点トータル目標即数算出ファイル（１２０）のテーブル図であり、拠点扱い商品トータルでの月間即納数の目標値を算出するテーブル図を示している。
【００２２】
図５は、物理的／経営的観点から在庫配置優先条件選定情報（１３０）のテーブル図であり、在庫配置に優先する条件を選択するために登録する情報の例を示している。
【００２３】
図６は、評価指標算出ファイル（容積効率の場合）（１４０）のテーブル図であり、在庫配置優先条件として容積効率が選定された場合の、評価指標を算出するテーブル図を示している
図７は、該当拠点での当月理論在庫数ファイル（１５０）のテーブル図であり、当月の該当拠点での理論数を蓄積したファイルのテーブル図を示している。
【００２４】
図８は、商品マスタ（１６０）のテーブル図であり、商品についての属性情報（商品単価、１品あたり容積など）の蓄積したテーブル図を示している。
【００２５】
図９は、在庫配置アイテム選定指示情報（１７０）のテーブル図であり、在庫配置アイテムの選定処理を行う拠点を選択するために登録する情報の例を示している。
【００２６】
図１０は、該当拠点でのアイテム別目標（期待）即納率ファイル（１８０）のテーブル図であり、「該当拠点におけるアイテム別の目標即納率（受注に対して、その拠点の在庫している商品を引き当てて納入できた比率）」のパラメータが設定されているファイルのテーブル図を示している。
【００２７】
図１１は、アイテム別目標（期待）即納数算出ファイル（１９０）のテーブル図であり、該当拠点におけるアイテム毎の月間即納数の目標値を算出するテーブル図を示している。
【００２８】
図１２、評価指標によるソートファイル（２００）のテーブル図であり、アイテム別目標（期待）即納数算出ファイル（１９０）を評価指標にてソート処理したテーブル図を示している。
【００２９】
図１３、在庫配置アイテム選定ファイル（２１０）のテーブル図であり、在庫配置アイテムを選定するための処理ファイルのテーブル図を示している。
【００３０】
図１４は、在庫配置アイテム選定結果情報（２２０）のテーブル図であり、在庫配置アイテムの選定結果出力の情報の例を示している。
【００３１】
図１５〜１８は、本発明を実施するためのフローチャートを示している。
【００３２】
図１５は、メインフローチャートである。
【００３３】
図１６は、目標トータル即納数設定処理（１０１）のフローチャートを示している。
【００３４】
図１７は、在庫配置優先条件／評価指標設定処理（１０２）のフローチャートを示している。
【００３５】
図１８は、在庫配置アイテムの選定処理（１０３）のフローチャートを示している。
これらを基に本発明の処理を説明する。
【００３６】
図１５のメインフローチャートで、拠点扱いアイテムトータルでの目標即納数の設定処理（１０１）は、該当拠点で扱っている商品トータルで目標とする即納数（受注に対して、その拠点の在庫している商品を引き当てて納入できた数）を設定する処理である。（詳細は、図１６  拠点扱いアイテムトータルでの目標即納数の設定処理を参照）
物理的／経営的観点での在庫配置優先条件／評価指標の設定処理（１０２）は、物理的／経営的な制約条件から在庫配置を優先する条件を決定し、“その優先条件に適するアイテムを評価する指標”を設定する処理である。（詳細は、図１７  物理的／経営的観点での在庫配置優先条件／評価指標の設定処理を参照）。
【００３７】
在庫配置アイテムの選定処理（１０３）は、（（１０１）で算出した）拠点トータルでの目標即納数”を維持し、「（（１０２）で算出した）物理的／経営的な観点からの在庫配置優先条件」にしたがって、在庫配置するアイテムを選定する処理である。（詳細は、図１８  在庫配置アイテムの選定処理を参照）。
【００３８】
図１６は、拠点扱いアイテムトータルでの目標即納数の設定処理は、該当拠点で扱っている商品トータルで目標とする即納数（受注に対して、その拠点の在庫している商品を引き当てて納入できた数）を設定する処理である。
【００３９】
拠点扱いアイテムトータルでの目標即納率の登録（２０１）は、拠点扱いアイテムトータルでの即納率（受注に対して、その拠点の在庫している商品を引き当てて納入できた比率）の目標値である、拠点トータル目標即納率情報（１００）を、演算装置（５０）へ登録する処理である。
【００４０】
拠点扱いアイテムトータルでの目標即納数の算出（２０２）は、拠点扱いアイテムトータルでの月間での即納数（受注に対して、その拠点の在庫している商品を引き当てて納入できた数）を算出する処理である。該当拠点当月需要予測ファイル（１１０）より該当拠点で扱っているアイテムの需要予測数の合計数を取得し、拠点トータル目標即納率情報（１００）より取得した拠点トータル目標即納率を掛け、拠点トータル目標即納数として、拠点トータル目標即納数算出ファイル（１２０）へ出力する処理である。
【００４１】
図１７は、物理的／経営的観点での在庫配置優先条件／評価指標の設定処理は、物理的／経営的な制約条件から在庫配置を優先する条件を決定し、「その優先条件に適するアイテムを評価する指標」設定する処理である。
【００４２】
物理的／経営的視点での在庫配置優先条件の選定（３０１）は、物理的／経営的観点から在庫配置を優先する条件を設定する処理である。例えば、１アイテムあたりの容積が大きく、拠点の保管キャパシティが頻繁にオーバーする商品を扱っている業界／企業は、「拠点の容積キャパシティ」が在庫配置を優先する条件となり、１アイテムあたりの単価が高く、決算期の在庫金額が経営状況を圧迫する傾向が強い業界／企業にとっては、「在庫金額」を優先する条件に選定するという処理である。
【００４３】
物理的／経営的視点での在庫配置優先条件の指示登録（３０２）は、物理的／経営的視点での在庫配置優先条件の選定（３０１）より選定した結果を、物理的／経営的観点での在庫配置優先条件情報（１３０）として、演算装置（５０）へ登録する処理である。
【００４４】
在庫配置優先条件に該当するアイテムを評価する指標値の算出（３０３）は、物理的／経営的視点での在庫配置優先条件の指示登録（３０２）より、指示した在庫優先条件に対応したアイテムを選定するための評価指標値を算出する処理である。例えば、在庫配置優先条件を“容積”と選定した場合、容積効率＝１アイテム当たりの需要予測数／１アイテム当たりの在庫容積が評価指標となる。この容積効率を算出するため、該当拠点での当月需要予測ファイル（１１０）よりＮ月需要予測数を取得し、該当拠点での当月理論在庫数ファイル（１５０）よりＮ月理論在庫数を取得し、商品マスタ（１６０）より１品での容積を取得し、
容積効率＝１アイテム当たりの需要予測数／１アイテム当たりの理論在庫数×１品での容積
を算出し、評価指標算出ファイル（容積効率の場合）（１４０）に出力する処理である。
【００４５】
具体的には、あるアイテムの容積効率＝あるアイテムの需要予測値（例：そのアイテムの月間の需要予測数が40個）÷（あるアイテムの理論在庫数（例：理論在庫数が10個）×１アイテムでの容積（例：保管容積が2立方メートル）＝2個/立方メートルとなる。
【００４６】
図１８は、在庫配置アイテムの選定処理は、「（（１０１）で算出した）拠点トータルでの目標即納数」を維持し、「（（１０２）で算出した）物理的／経営的な観点からの在庫配置優先条件」にしたがって、在庫配置するアイテムを選定する処理である。
【００４７】
在庫配置アイテムの選定指示登録（４０１）は、在庫配置アイテムの選定を行う拠点を指示する情報である在庫配置アイテム選定指示情報（１７０）を、演算装置（５０）へ登録する処理である。
【００４８】
アイテム別目標（期待）即納数の算出（４０２）は、アイテム別に月間での即納数（受注に対して、その拠点の在庫している商品を引き当てて納入できた数）を算出する処理である。
【００４９】
該当拠点当月需要予測ファイル（１１０）よりアイテム別の需要予測数を取得し、該当拠点でのアイテム別目標（期待）即納率ファイル（１８０）より取得したアイテム別目標（期待）即納率を掛け、アイテム別目標（期待）即納数として、アイテム別目標（期待）即納率算出ファイル（１９０）へ出力する処理である。
【００５０】
在庫配置優先条件に該当するアイテムを評価する指標をキーにソート（４０３）は、在庫配置優先条件に該当するアイテムを評価する指標値の算出（３０３）より算出した指標値をキーに、評価指標によるソートファイル（２００）を、ソートする処理である。
【００５１】
「上位アイテムからの目標（期待）即納数の合計値＞拠点扱いアイテムトータルでの目標即納数」となるまで繰り返し（４０４）は、上位アイテムからの目標（期待）即納数の合計値＞拠点扱いアイテムトータルでの目標即納数の条件となるまで、処理（４０５〜４０６）を繰り返す処理である。
【００５２】
優先順位に従って、上位アイテムから目標（期待）即納数を合計（４０５）は、在庫配置優先条件に該当するアイテムを評価する指標をキーにソート（４０３）によりソートした順にしたがって、上位アイテムから、目標（期待）即納数を合計し、結果を在庫配置アイテム選定ファイル（２１０）に出力する処理である。
【００５３】
優先順位に従い合計対象アイテムを１アイテム追加（４０６）は、上位アイテムから目標（期待）即納数を合計していく対象アイテムを１アイテム追加する処理である。
【００５４】
在庫配置アイテム選定結果の表示（４０７）は、「上位アイテムからの目標（期待）即納数の合計値＞拠点扱いアイテムトータルでの目標即納数」となるまで繰り返し（４０４）により、繰り返し処理を行ったアイテムを、在庫配置アイテム選定結果情報（２２０）として、表示する処理である。
【図面の簡単な説明】
【００５５】
【図１】本発明をシステム構成を示した図である。
【図２】拠点トータル目標即納率ファイル（１００）のテーブル図である。
【図３】該当拠点での当月需要予測ファイル（１１０）のテーブル図である。
【図４】拠点トータル目標即数算出ファイル（１２０）のテーブル図である。
【図５】物理的／経営的観点から在庫配置優先条件選定情報（１３０）のテーブル図である。
【図６】評価指標算出ファイル（容積効率の場合）（１４０）のテーブル図である。
【図７】該当拠点での当月理論在庫数ファイル（１５０）のテーブル図である。
【図８】商品マスタ（１６０）のテーブル図である。
【図９】在庫配置アイテム選定指示情報（１７０）のテーブル図である。
【図１０】該当拠点でのアイテム別目標（期待）即納率ファイル（１８０）のテーブル図である。
【図１１】アイテム別目標（期待）即納数算出ファイル（１９０）のテーブル図である。
【図１２】評価指標によるソートファイル（２００）のテーブル図である。
【図１３】在庫配置アイテム選定ファイル（２１０）のテーブル図である。
【図１４】在庫配置アイテム選定結果情報（２２０）のテーブル図である。
【図１５】本発明の処理のメインフローチャートである。
【図１６】拠点扱いアイテムトータルでの目標即納数の設定処理のフローチャートである。
【図１７】物理的／経営的観点での在庫配置優先条件／評価指標の設定のフローチャートである。
【図１８】在庫配置アイテムの選定処理のフローチャートである。
【符号の説明】
【００５６】
５０    演算装置
１００  拠点トータル目標即納率情報
１１０  該当拠点での当月需要予測ファイル
１２０  拠点トータル目標即数算出ファイル
１３０  物理的／経営的観点から在庫配置優先条件選定情報
１４０  該当拠点での当月理論在庫数ファイル
１５０  評価指標算出ファイル（容積効率の場合）
１６０  商品マスタ
１７０  在庫配置アイテム選定指示情報
１８０  該当拠点でのアイテム別目標（期待）即納率ファイル
１９０  アイテム別目標（期待）即納数算出ファイル
２００  評価指標によるソートファイル
２１０  在庫配置アイテム選定ファイル
２２０  在庫配置アイテム選定結果情報
【図１】
2007261760.tif 000004
【図２】
2007261760.tif 000005
【図３】
2007261760.tif 000006
【図４】
2007261760.tif 000007
【図５】
2007261760.tif 000008
【図６】
2007261760.tif 000009
【図７】
2007261760.tif 000010
【図８】
2007261760.tif 000011
【図９】
2007261760.tif 000012
【図１０】
2007261760.tif 000013
【図１１】
2007261760.tif 000014
【図１２】
2007261760.tif 000015
【図１３】
2007261760.tif 000016
【図１４】
2007261760.tif 000017
【図１５】
2007261760.tif 000018
【図１６】
2007261760.tif 000019
【図１７】
2007261760.tif 000020
【図１８】
2007261760.tif 000021